(57)【特許請求の範囲】
【請求項１】
液滴を吐出して記録を行う記録ヘッドと対向する位置に配置され、静電吸着により被搬送物を吸着して搬送する搬送ベルトと、
前記搬送ベルトを帯電させるベルト帯電手段と、を備え、
前記ベルト帯電手段は、前記搬送ベルトにおいて被搬送物が載置される載置領域については前記被搬送物を吸着させる電圧を印加し、前記搬送ベルトにおける前記載置領域を除いた領域については吐出された前記液滴とは極性が異なる電圧のみを印加して前記搬送ベルトを帯電させる、
ことを特徴とする媒体搬送装置。
【請求項２】
請求項１に記載の媒体搬送装置において、前記ベルト帯電手段は、前記載置領域を除いた領域のうち、前記被搬送物の搬送方向に交差する方向に位置する領域について、吐出された前記液滴とは極性が異なる電圧に帯電させる、
ことを特徴とする媒体搬送装置。
【請求項３】
請求項１または２に記載の媒体搬送装置において、前記ベルト帯電手段は、前記載置領域を除いた領域のうち、前記被搬送物の搬送方向に位置する領域について、吐出された前記液滴とは極性が異なる電圧に帯電させる、
ことを特徴とする媒体搬送装置。
【請求項４】
請求項１から３のいずれか一項に記載の媒体搬送装置において、前記ベルト帯電手段は、前記載置領域を極性の異なる帯電域が配置されてなる帯電領域に形成する、
ことを特徴とする媒体搬送装置。
【請求項５】
請求項１から４のいずれか一項に記載の媒体搬送装置において、前記ベルト帯電手段は、前記搬送ベルトと接する第１帯電ローラーが前記搬送ベルトの移動方向と交差する第１の方向に沿って所定間隔で配置されて成る第１帯電部と、
前記第１帯電部に対し前記搬送ベルトの移動方向上流側に位置し、前記搬送ベルトと接する第２帯電ローラーが前記第１の方向に沿って前記第１帯電ローラーの間に位置する様に配置されて成る第２帯電部と、
前記第１帯電部及び前記第２帯電部に交番電圧を印加する電圧印加手段と、を備えて成る、
ことを特徴とする媒体搬送装置。
【請求項６】
請求項１から４のいずれか一項に記載の媒体搬送装置において、前記ベルト帯電手段は、円周方向に沿ってプラス電圧が印加される第１領域と、当該第１領域と電気的に絶縁されるとともにマイナス電圧が印加される第２領域と、を備え、前記搬送ベルトの移動方向と交差する第１の方向に沿って前記第１領域と前記第２領域とが交互に配置されて成る帯電ローラーを有する帯電部と、
前記第１領域にプラス電圧を、前記第２領域にマイナス電圧を、それぞれ印加する、直流電源を備えて成る電圧印加手段と、を備えて成り、
前記載置領域を除いた領域をマイナスに帯電させる、
ことを特徴とする媒体搬送装置。
【請求項７】
前記記録ヘッドと、
請求項１から６のいずれか一項に記載の前記媒体搬送装置と、
を備えた記録装置。
【請求項８】
請求項７に記載の記録装置において、媒体搬送経路において前記記録ヘッドより下流側であって前記載置領域と対向する位置に、吐出された前記液滴と極性が同じ電圧が印加される被電圧印加部材を備える、
ことを特徴とする記録装置。
【発明の詳細な説明】
【技術分野】
【０００１】
本発明は、媒体を搬送する媒体搬送装置、およびこれを備えた記録装置に関する。
【背景技術】
【０００２】
プリンターに代表される記録装置において、搬送ベルトを用いて被搬送物、即ち記録用紙を搬送する構成が採用される場合がある。この様な構成において適切な記録品質を得る為には、記録用紙の搬送ベルトからの浮き上がりを防止する必要がある。そして記録用紙を搬送ベルトに吸着させる手段として、エアー吸引によるほか、静電吸着によるものが従来から用いられている。特許文献１〜５には、その様な従来の構成が開示されている。
【０００３】
特許文献１記載の印刷装置は、搬送ベルトに極性の異なる帯電領域が交番する帯電パターンを形成するにあたり、極性が反転する位置を除く領域と、記録用紙の端部とが対向するように構成されている。即ち、電荷が「＋」から「−」に切り換わる部分では、電荷が零となる箇所が存在するが、この様な電荷が零となる周辺では、「＋」電荷と「−」電荷とが近接しているため互いに電荷の影響を受け、帯電が不安定な領域が存在する。このことに鑑み、特許文献１記載の印刷装置は、記録用紙の端部がその様な不安定領域に望まないように、帯電パターンを形成している。
【０００４】
尚、搬送ベルト上に交番電圧を印加することにより、プラス帯電領域とマイナス帯電領域とを交互に形成するのは、プラス電荷からマイナス電荷に向かう電気力線または電気力、クーロン力の影響により媒体に加わる静電吸着力（マクスウェル応力による吸着力）が、搬送ベルト上に一様に同極性の帯電領域を形成することによって得られる静電吸着力（誘電分極による吸着力）より、効果的な場合がある為である。  
その他、特許文献３〜５にも、搬送ベルト上に交番電圧を印加することにより記録媒体を搬送ベルトに静電吸着する構成が開示されている。
【先行技術文献】
【特許文献】
【０００５】
【特許文献１】特開２００６−２６４８９９号公報
【特許文献２】特開２００６−３４６８７０号公報
【特許文献３】特開２００８−７４５７８号公報
【特許文献４】特開２００６−１０３０２２号公報
【特許文献５】特開２００６−６２８２９号公報
【発明の概要】
【発明が解決しようとする課題】
【０００６】
ところで、インクジェット記録ヘッドから吐出されたインクのうち、記録用紙に着弾せずに漂う液滴（インクミストと呼ばれる場合がある）が、装置の構成部品に付着したり、或いは記録用紙の記録面に付着するという技術的課題は、従来から知られている。
【０００７】
ここで、このインクミストの帯電特性について、以下説明する。記録ヘッドからインク滴が吐出されると、このインク滴は、記録用紙に着弾するメイン液滴と、記録用紙に着弾せずに漂うサテライト液滴（これが上述のインクミストとなる）とに別れるが、空気中を漂うサテライト液滴はレナード効果によりプラス帯電（サテライト液滴周囲の空気はマイナス帯電）することになる。そしてまた、インクミストが空気中を漂う時間が長くなればなる程、当該インクミストのプラス帯電量は大きくなる。
【０００８】
一方、特許文献１記載の印刷装置の様に、交番電圧を利用して搬送ベルト上の帯電領域を帯状に、プラス帯電領域とマイナス帯電領域とが交互に配置される様に形成する場合、プラス帯電したインクミストが搬送ベルト上のマイナス帯電領域に付着する結果、記録画像がインクミストによって帯状に汚損された状態となり、汚損状態がより一層視認し易くなってしまう。
【０００９】
本発明はこの様な状況に鑑みなされたものであり、その目的は、搬送ベルトを用いて被搬送物を搬送する構成を備えた装置において、インクミストの飛散を抑制するとともに、インクミストが記録面に付着した場合であってもそれを視認し難くさせ、もって良好な記録結果を得ることにある。
【課題を解決するための手段】
【００１０】
上記課題を解決する為の、本発明の第１の態様に係る媒体搬送装置は、静電吸着により被搬送物を吸着して搬送する搬送ベルトと、前記搬送ベルトを帯電させるベルト帯電手段と、を備え、前記ベルト帯電手段は、前記搬送ベルトにおいて少なくとも被搬送物が載置される載置領域をマイナス帯電領域とプラス帯電領域とが格子状に配置されて成る帯電領域に形成することを特徴とする。
【００１１】
本態様によれば、搬送ベルトを帯電させるベルト帯電手段は、前記搬送ベルトにおいて少なくとも被搬送物が載置される載置領域を、マイナス帯電領域とプラス帯電領域とが格子状に配置されて成る帯電領域に形成するので、浮遊する液滴が帯電領域の影響を受けて被搬送媒体上に付着しても、それが全体的に分散され、液滴の付着を視認し難くすることができる。
【００１２】
即ち、仮にマイナス帯電領域とプラス帯電領域とが、交互に帯状に形成された場合には、プラス帯電した液滴がマイナス帯電領域に付着することで、液滴の付着が帯状となって視認し易くなってしまう。しかしながら上記の様にマイナス帯電領域とプラス帯電領域とが格子状に形成されるので、液滴が全体的に分散され、被搬送物に液滴が付着してもそれを視認し難くすることができる。  
そしてプラス帯電した液滴が被搬送物の全域にわたって均等に付着することで、液滴の飛散を効果的に抑制することができる。
【００１３】
加えて、上記格子状の帯電パターンにより、プラス帯電領域とマイナス帯電領域の切り換わり部分が搬送ベルト上に多数、形成される。プラス電荷からマイナス電荷に向かう電気力線または電気力、クーロン力の影響により媒体に加わる静電吸着力（マクスウェル応力）は、プラス帯電領域とマイナス帯電領域の切り換わり部分が多いほど、効果的となる。従って上記格子状の帯電パターンを形成することにより、搬送ベルト上に媒体をより確実に吸着させることができる。特に、媒体のエッジ部分を、良好に吸着することができる。
【００１４】
本発明の第２の態様は、第１の態様において、前記ベルト帯電手段は、前記搬送ベルトと接する第１帯電ローラーが前記搬送ベルトの移動方向と交差する第１の方向に沿って所定間隔で配置されて成る第１帯電部と、前記第１帯電部に対し前記搬送ベルトの移動方向下流側に位置し、前記搬送ベルトと接する第２帯電ローラーが前記第１の方向に沿って前記第１帯電ローラーの間に位置する様に配置されて成る第２帯電部と、前記第１帯電部及び前記第２帯電部に交番電圧を印加する電圧印加手段と、を備えて成ることを特徴とする。
【００１５】
本態様によれば、前記ベルト帯電手段は、帯電ローラーにより構成された第１帯電部、第２帯電部と、これらに交番電圧を印加する電圧印加手段と、を備えて構成されているので、前記ベルト帯電手段を構造簡単にして且つ低コストに構成することができる。
【００１６】
本発明の第３の態様は、第１の態様において、前記ベルト帯電手段は、円周方向に沿ってプラス電圧が印加される第１領域と、当該第１領域と電気的に絶縁されるとともにマイナス電圧が印加される第２領域と、を備えて成る帯電ローラーが、前記搬送ベルトの移動方向と交差する第１の方向に沿って所定間隔で配置されて成る帯電部と、前記第１領域にマイナス電圧を、前記第２領域にプラス電圧を、それぞれ印加する、直流電源を備えて成る電圧印加手段と、を備えて成る、電圧印加手段と、を備えて成ることを特徴とする。
【００１７】
本態様によれば、前記ベルト帯電手段は、帯電ローラーにより構成された帯電部と、これに電位を与える電圧印加手段と、を備えて構成されているので、前記ベルト帯電手段を構造簡単にして且つ低コストに構成することができる。
【００１８】
本発明の第４の態様は、媒体に記録を行う記録ヘッドと、前記記録ヘッドの下側に前記第１搬送部が配置された、第１から第３の態様のいずれかに係る媒体搬送装置と、を備えた記録装置である。本態様によれば、記録装置において、上述した第１から第３の態様のいずれかと同様な作用効果を得ることができる。
【００１９】
本発明の第５の態様は、第４の態様において、媒体搬送経路において前記記録ヘッドより下流側であって前記載置面と対向する位置に、プラス電圧が印加される被電圧印加部材を備えることを特徴とする。
【００２０】
記録ヘッドから吐出された液滴は、搬送ベルトの移動に伴う作用（空気流の作用）により、搬送方向下流側に飛散する傾向がある。本態様によれば、媒体搬送経路において前記記録ヘッドより下流側であって前記載置面と対向する位置に、プラス電圧が印加される被電圧印加部材を備えるので、前記搬送ベルトに形成されたマイナス極帯電領域と被電圧印加部材との間で電界が形成され、これにより飛散した液滴を搬送ベルト側に効果的に付着させることができ、液滴の飛散を効果的に防止することができる。
【図面の簡単な説明】
【００２１】
【図１】本発明に係るインクジェットプリンターにおける記録部の側面図。
【図２】（Ａ）は第１実施例に係るベルト帯電手段の構成を示す平面図、（Ｂ）は搬送ベルト上の帯電パターンの第１実施例を模式的に示す平面図。
【図３】（Ａ）は第２実施例に係るベルト帯電手段の構成を示す平面図、（Ｂ）は搬送ベルト上の帯電パターンの第２実施例を模式的に示す平面図。
【図４】（Ａ）は第３実施例に係るベルト帯電手段の構成を示す平面図、（Ｂ）は搬送ベルト上の帯電パターンの第３実施例を模式的に示す平面図。
【図５】搬送ベルト上の帯電パターンの第４実施例を模式的に示す平面図。
【図６】ベルト帯電手段の構成を示す平面図。
【発明を実施するための形態】
【００２２】
以下、本発明の実施例を図面に基づいて説明するが、本発明は、以下説明する実施例に限定されることなく、特許請求の範囲に記載した発明の範囲内で種々の変形が可能であり、それらも本発明の範囲内に含まれるものであることを前提として、以下本発明の実施例を説明するものとする。
【００２３】
図１は本発明の記録装置の一実施形態であるインクジェットプリンター１の、記録部の側面図、図２（Ａ）は第１実施例に係るベルト帯電手段の構成を示す平面図、図２（Ｂ）は第１実施例に係るベルト帯電パターンを模式的に示す図、図３（Ａ）は第２実施例に係るベルト帯電手段の構成を示す平面図、図３（Ｂ）は第２実施例に係るベルト帯電パターンを模式的に示す図、図４（Ａ）は第３実施例に係るベルト帯電手段の構成を示す平面図、図４（Ｂ）は第３実施例に係るベルト帯電パターンを模式的に示す図である。  
また、図５は搬送ベルト上の帯電パターン状態の第４実施例を模式的に示す平面図、図６はベルト帯電手段の構成を示す平面図である。
【００２４】
また、各図に示すｘ−ｙ−ｚ座標系は、ｘ方向及びｙ方向が水平方向であり、このうちｘ方向は用紙幅方向及びベルト幅方向（装置奥行き方向）であり、ｙ方向は装置左右方向及びベルト移動方向並びに用紙搬送方向である。また、ｚ方向は重力方向（装置高さ方向）である。
【００２５】
図１において、インクジェットプリンター１はフィードローラー２を備え、このフィードローラー２によって、被搬送物の一例としての記録用紙Ｐを搬送ベルト９上に供給する構成を備える。フィードローラー２の更に上流側には、記録用紙を収容する着脱自在な用紙カセット、当該用紙カセットから記録用紙Ｐを送り出す給送ローラー、などを備えて成る給送手段が設けられているが、図１では当該給送手段は図示を省略している。また、記録の行われた記録用紙Ｐを排出する排出手段も、図示を省略している。
【００２６】
搬送ベルト９は、そのベルト面上に記録用紙Ｐを吸着して搬送する為の無端状ベルトであり、駆動ローラー７と従動ローラー８との間に係回される。駆動ローラー７と、その下流側に配置された従動ローラー８とは、略水平面内に所定の間隔で平行に配置されており、これにより搬送ベルト９は、駆動ローラー７と従動ローラー８との間に位置するベルト部分のうち上部と下部の双方が略水平面状とされている。但しこれに限られるものではなく、駆動ローラー７と従動ローラー８の径が異なる場合などは、搬送ベルト９の上部が略水平であれば、下部は水平である必要は無い。
【００２７】
駆動ローラー７は図示しない駆動モーターによって回転駆動される様に構成されており、またこの駆動モーターは制御部１１により駆動制御され、これにより搬送ベルト９は、所定のタイミングにて、所定の方向に、所定の移動速度によって所定の移動量、駆動される。尚、図１における矢印（右矢印及び左矢印）はベルト移動方向を示し、駆動ローラー７と従動ローラー８に付記された曲線矢印は両ローラーの回転方向を示している。
【００２８】
搬送ベルト９は、後に説明する様にベルト帯電手段１４によって所定の状態に帯電し、これにより記録用紙Ｐを静電吸着する。このため搬送ベルト９は、少なくとも表面（外周面）が中抵抗（１×１０１０Ω／□以下）の樹脂、例えばＰＥＴやポリイミド、フッ素系樹脂、ゴムなどの絶縁性材料で構成され、また必要に応じてカーボンブラックや導電性フィラーを混入させて抵抗値を調整し、帯電させる為の保持電荷量が調整される。
【００２９】
搬送ベルト９の上方には、平面状とされた搬送ベルト９の表面に対向してインクジェット記録ヘッド３が配置されている。インクジェット記録ヘッド３は、搬送ベルト９の移動方向、即ち記録用紙Ｐの搬送方向の上流側から順に、例えばイエロー（Ｙ）、マゼンタ（Ｍ）、シアン（Ｃ）、黒（Ｋ）、のこれら４色のインク滴（液滴）を吐出するノズル列（不図示）を有している。そして制御部１１の制御のもと、搬送ベルト９によって搬送される記録用紙Ｐにそれぞれ所定のタイミングで吐出しカラー画像を形成する。
【００３０】
尚、インクジェットプリンター１の装置本体（不図示）には、Ｙ、Ｍ、Ｃ、Ｋ、のこれら各色のインクが貯留されたインクタンク（不図示）が、装置本体に対して着脱自在、或いは着脱不能に設けられており、不図示のインクチューブを介して、インクタンクからインクジェット記録ヘッド３へとインクが供給される様になっている。
【００３１】
本実施形態においてインクジェット記録ヘッド３は、用紙搬送方向と直交する方向である搬送ベルト９の幅方向（ｘ方向）に沿って長尺なヘッドであり、即ち使用が想定される記録用紙のうち最も大きなサイズの用紙幅全体をカバー可能な長さに形成された非走査型のヘッドである。しかしながら本発明はこれに限られず、用紙幅方向（ｘ方向）に移動しながらインクを吐出する走査型ヘッド、所謂シリアルタイプの記録ヘッドであっても構わない。
【００３２】
また、インクジェット記録ヘッド３において搬送ベルト９と対向する面を形成する、インク吐出孔（不図示）が形成されたノズルプレート３ａは、金属等の導体で形成しても良いし、シリコン等の絶縁体、或いは半導体で形成しても良い。尚、ノズルプレート３ａを金属等の導体で形成する場合、ノズルプレート３ａを接地すると、ノズルプレート３ａ内を移動するインクのマイナス電荷がノズルプレート３ａ側に移動することにより、インクは吐出される時点でプラス帯電側に帯電状態が変化することとなる。
【００３３】
そしてこのノズルプレート３ａの下面（ノズル形成面）が、搬送ベルト９の上面、即ち記録用紙Ｐを載置する用紙載置面９ａに向けられるとともに、ノズル形成面が搬送ベルト９の用紙載置面９ａと所定距離だけ離されて配置されている。
【００３４】
インクジェット記録ヘッド３において搬送ベルト９と対向する面の、ノズルプレート３ａから外れた位置には、第２用紙検出センサー５が設けられている。第２用紙検出センサー５は光学式のセンサーであり、図示しない発光部と受光部とを備え、発光部から放射する光を受光部で受け、その光量の多少に基づく検出信号を制御部１１へと送る。これにより制御部１１は、記録用紙Ｐの先端通過、及び後端通過を検出できるとともに、搬送ベルト９の駆動速度と合わせて、記録用紙Ｐの長さを把握可能となっている。
【００３５】
また、フィードローラー２の下流であって、搬送ベルト９の上流側、即ちフィードローラー２と搬送ベルト９との間には、第１用紙検出センサー４が設けられている。第１用紙検出センサー４は、第２用紙検出センサー５と同様の構成を備えた光学センサーであり、インクジェットプリンター１の制御部１１は、第１用紙検出センサー４からの検出信号を受けることにより、搬送ベルト９への記録用紙Ｐの到達タイミング、より具体的には搬送ベルト９に形成する帯電パターン（後述）と記録用紙Ｐとの位置関係を制御できる様になっている。尚、図１では、第１用紙検出センサー４が搬送ベルト９の記録用紙Ｐの載置領域の近傍に示されているが、実際には搬送ベルト９の記録用紙Ｐの載置領域から、第２帯電部１８（第２帯電ローラー２０）までの距離と同等以上の距離がある必要がある。このことにより、搬送ベルト９において記録用紙Ｐの先端或いは後端が載置される領域が把握できるため、搬送ベルト９への帯電制御が可能となる。
【００３６】
続いて搬送ベルト９を駆動する駆動ローラー７の下側には、ベルト帯電手段１４が設けられている。このベルト帯電手段１４は、第１帯電部１５と、第２帯電部１８と、のこれら２つの帯電部と、これら帯電部に電圧を印加する電圧印加手段１２とを備えて成る。
【００３７】
電圧印加手段１２は交流電源、直流電源、公知のスイッチングレギュレータ、等によって構成された電源装置であり、交番電圧の整流、極性反転、パルス変調などを行える電源装置である。電圧印加手段１２は、制御部１１の制御のもと、第１帯電部１５及び第２帯電部１８に対し、所定の交番電圧を印加する。
【００３８】
一方、従動ローラー８の下側には、除電器１０が設けられている。除電器１０は、搬送ベルト９の帯電状態を解消する為の除電手段であり、ベルト駆動方向においてベルト帯電手段１４の上流側に位置し、制御部１１の制御のもと、ベルト帯電手段１４が搬送ベルト９に帯電パターンを形成する前に、当該搬送ベルト９の帯電状態を予め解消する。尚、除電器１０は、公知のイオン式の除電装置や除電ブラシに代表される自己放電式除電器等、種々のタイプの除電手段を用いることができる。
【００３９】
また、符号２２は、インクジェット記録ヘッド３より下流側であって搬送ベルト９の用紙載置面９ａと対向する位置に設けられた被電圧印加部材を示している。被電圧印加部材２２は導電性材料により形成され、プラス電圧が印加される。
【００４０】
これにより、以下の作用が得られる。即ちインクジェット記録ヘッド３から吐出されて浮遊するインク滴は、搬送ベルト９の移動に伴う作用（空気流の作用）により、搬送方向下流側に飛散する傾向がある。しかし、搬送ベルト９における用紙載置面９ａのマイナス帯電領域部分と、被電圧印加部材２２との間で電界が形成され、これにより飛散したインク滴を搬送ベルト９側に効果的に付着させることができ、インク滴の飛散を効果的に防止することができる。
【００４１】
更に符号２４は、クリーニングローラーである。クリーニングローラーは、搬送ベルト９と接触可能に設けられており、搬送ベルト９と接することにより、搬送ベルト９に付着したインク滴や異物等を除去する。クリーニングローラー２４は図示しないモーターによって搬送ベルト９の移動方向に抗する方向に回転駆動され、これにより搬送ベルト９上をワイピングする様に機能する。尚、クリーニングローラー２４に限らず、ワイパーなど、搬送ベルト９をクリーニングできるものであればどの様なものであっても構わない。
【００４２】
■■■第１実施例■■■  
続いて、ベルト帯電手段１４によって形成される帯電パターンの第１実施例を図２に基づいて説明する。  
本実施例では、搬送ベルト９において記録用紙Ｐが載置される載置領域を、マイナス帯電領域とプラス帯電領域とが格子状に配置されて成る帯電領域に形成することを特徴とする。
【００４３】
図２（Ｂ）はその様な帯電パターンを模式的に示したものであり、符号Ｅｐで示す領域（斜線ハッチング領域）はプラス帯電領域（プラス電荷が生じている領域）を、符号Ｅｎで示す領域（ハッチング無し領域）はマイナス帯電領域（マイナス電荷が生じている領域）を、それぞれ示している。
【００４４】
用紙搬送方向における任意の位置で、用紙幅方向に延びる帯電領域をみたとき、帯電領域Ｃk+1は、マイナス帯電領域Ｅｎからはじまり、図中右方向に向かってプラス帯電領域Ｅｐ、マイナス帯電領域Ｅｎ、・・・と交互に位置している。次の帯電領域Ｃk+2は、プラス帯電領域Ｅｐからはじまり、図中右方向に向かってマイナス帯電領域Ｅｎ、プラス帯電領域Ｅｐ、・・・と交互に位置している。尚、用紙幅方向においてプラス帯電領域Ｅｐとマイナス帯電領域Ｅｎとの間には、本実施形態では殆ど間隔がない。
【００４５】
また、用紙幅方向における任意の位置で、用紙搬送方向に延びる帯電領域をみたとき、帯電領域Ｒk+1は、マイナス帯電領域Ｅｎからはじまり、図中上方向に向かってプラス帯電領域Ｅｐ、マイナス帯電領域Ｅｎ、・・・と交互に位置している。次の帯電領域Ｒk+2は、プラス帯電領域Ｅｐからはじまり、図中上方向に向かってマイナス帯電領域Ｅｎ、プラス帯電領域Ｅｐ、・・・と交互に位置している。尚、用紙搬送方向においては、プラス帯電領域Ｅｐとマイナス帯電領域Ｅｎとの間には、或る程度の幅の無帯電領域が形成されている。この無帯電領域は交番電圧印加時に極性が変化する部分であり、厳密には電圧が印加されない領域（無帯電領域）と、電圧は印加されるが僅かである領域（弱帯電領域）とが含まれている。
【００４６】
この様に本実施例においてベルト帯電手段１４は、搬送ベルト９において記録用紙が載置される載置領域をマイナス帯電領域Ｅｎとプラス帯電領域Ｅｐとが格子状に配置されて成る帯電領域に形成する。これにより、浮遊するインク滴が帯電領域の影響を受けて記録用紙上に付着しても、それが全体的に分散され、インク滴の付着を視認し難くすることができる。
【００４７】
即ち、仮にマイナス帯電領域とプラス帯電領域とが、交互に帯状に形成された場合には、プラス帯電したインク滴がマイナス帯電領域に付着することで、インク滴の付着が帯状となって視認し易くなってしまう。しかしながら上記の様にマイナス帯電領域Ｅｎとプラス帯電領域Ｅｐとが格子状に形成されるので、インク滴が全体的に分散され、浮遊するインクミストが記録用紙に付着してもそれを視認し難くすることができる。またプラス帯電したインク滴が記録用紙の全域にわたって均等に付着することで、インク滴の飛散を効果的に抑制することができる。
【００４８】
加えて、上記格子状の帯電パターンにより、プラス帯電領域Ｅｐとマイナス帯電領域Ｅｎの切り換わり部分が搬送ベルト９上に多数、形成される。プラス電荷からマイナス電荷に向かう電気力線または電気力、クーロン力の影響により媒体に加わる静電吸着力（マクスウェル応力）は、プラス帯電領域Ｅｐとマイナス帯電領域Ｅｎの切り換わり部分が多いほど、効果的となる。従って上記格子状の帯電パターンを形成することにより、搬送ベルト９上に記録用紙をより確実に吸着させることができる。特に、記録用紙Ｐのエッジ部分を、良好に吸着することができる。
【００４９】
以上の様な格子状帯電パターンを形成するベルト帯電手段１４は、例えば図２（Ａ）に示す様に構成することができる。図２（Ａ）においてベルト帯電手段１４は、第１帯電部１５、第２帯電部１８、電圧印加手段１２、のこれらを備えている。
【００５０】
第１帯電部１５は、搬送ベルト９と接する第１帯電ローラー１７が、搬送ベルト９の移動方向（ｙ方向）と交差する第１の方向であるベルト幅方向（ｘ方向）に延びる軸１６に沿って、所定間隔で配置されて成る。第２帯電部１８は、搬送ベルト９と接する第２帯電ローラー２０が、第１帯電部１５の上流側（ベルト移動方向上流側）に位置し、軸１６と平行に延びる軸１９に沿って、第１帯電ローラー１７の間に位置する様に配置されて成る。尚、第１帯電ローラー１７及び第２帯電ローラー２０は、例えば導電性ゴム材などで構成される。
【００５１】
尚、本実施例において第１帯電部１５及び第２帯電部１８は、用紙幅をカバーする長さに形成されているが、搬送ベルト９の幅全体をカバーする長さに形成されていても良い。
【００５２】
電圧印加手段１２は、第１帯電部１５及び第２帯電部１８に交番電圧を付与する。尚、図２（Ａ）において符号Ｄｓは第１帯電部１５と第２帯電部１８の軸間距離を示しており、図２（Ｂ）に示す様な格子状帯電パターンを形成する為に、電圧印加手段１２が付与する交番電圧の周期の整数倍が距離Ｄｓと等しくなる様に、交番電圧の周期或いは距離Ｄｓが設定される。
【００５３】
以上の様に、本実施例においてベルト帯電手段１４は、搬送ベルト９において記録用紙が載置される載置領域をマイナス帯電領域Ｅｎとプラス帯電領域Ｅｐとが格子状に配置されて成る帯電領域に形成する。これにより、浮遊するインク滴が帯電領域の影響を受けて記録用紙上に付着しても、それが全体的に分散され、インク滴の付着を視認し難くすることができる。
【００５４】
■■■第２実施例■■■  
続いて、ベルト帯電手段によって形成される帯電パターンの第２実施例を図３（Ａ）、（Ｂ）に基づいて説明する。第２実施例は、図３（Ｂ）に示す様に搬送ベルト９において記録用紙が載置される載置領域をマイナス帯電領域とプラス帯電領域とが格子状に配置されて成る帯電領域に形成することを特徴とする。この点は、上述した第１実施例と同じであり、本実施例は格子状帯電パターンを形成する帯電部の構成が異なる。
【００５５】
ベルト帯電手段は、図３（Ａ）に示す様に帯電部２６、電圧印加手段１２Ａ、のこれらを備えている。帯電部２６は、搬送ベルト９と接する帯電ローラー２８が、搬送ベルト９の移動方向（ｙ方向）と交差する第１の方向であるベルト幅方向（ｘ方向）に延びる軸２７に沿って、所定間隔で配置されて成る。帯電ローラー２８は、円周方向に沿ってプラス電位が与えられる第１領域２８ａと、当該第１領域２８ａと電気的に絶縁されるとともにマイナス電位が付与される第２領域２８ｂと、を備えて成る複合体である。帯電ローラー２８の第１領域２８ａ、第２領域２８ｂは、例えば導電性ゴム材などで構成される。
【００５６】
電圧印加手段１２Ａは、直流電源を備えて成り、帯電ローラー２８の第１領域２８ａ、第２領域２８ｂ、のそれぞれに逆極性の電圧を印加する。これにより搬送ベルト９上には、一本のローラー体により、ベルト移動方向に沿ってマイナス帯電領域Ｅｎとプラス帯電領域Ｅｐとが交互に形成される。また、隣接する帯電ローラー２８は、第１領域２８ａ、第２領域２８ｂ、のこれらの位相が反転するように、軸２７に取り付けられており、これによりベルト幅方向においても、マイナス帯電領域Ｅｎとプラス帯電領域Ｅｐとが交互に形成され、以上により格子状の帯電パターンが形成される。
【００５７】
■■■第３実施例■■■  
続いて、ベルト帯電手段によって形成される帯電パターンの第３実施例を図４（Ａ）、（Ｂ）に基づいて説明する。第３実施例は、図４（Ｂ）に示す様に搬送ベルト９において記録用紙が載置される載置領域をマイナス帯電領域と無帯電領域（非帯電コントロール領域）とが格子状に配置されて成る帯電領域に形成することを特徴とする。
【００５８】
図４（Ｂ）はその様な帯電パターンを模式的に示したものであり、符号Ｅｎで示す領域はマイナス帯電領域（マイナス電荷が生じている領域）を、符号Ｅ０で示す領域（マイナス帯電領域Ｅｎの間に形成される領域）は無帯電領域（非帯電コントロール領域）を示している。
【００５９】
用紙搬送方向における任意の位置で、用紙幅方向に延びる帯電領域をみたとき、帯電領域Ｃk+1は、マイナス帯電領域Ｅｎからはじまり、図中右方向に向かって無帯電領域Ｅ０、マイナス帯電領域Ｅｎ、・・・と交互に位置している。次の帯電領域Ｃk+2は、無帯電領域Ｅ０からはじまり、図中右方向に向かってマイナス帯電領域Ｅｎ、無帯電領域Ｅ０、・・・と交互に位置している。
【００６０】
また、用紙幅方向における任意の位置で、用紙搬送方向に延びる帯電領域をみたとき、帯電領域Ｒk+1は、マイナス帯電領域Ｅｎからはじまり、図中上方向に向かって無帯電領域Ｅ０、マイナス帯電領域Ｅｎ、・・・と交互に位置している。次の帯電領域Ｒk+2は、無帯電領域Ｅ０からはじまり、図中上方向に向かってマイナス帯電領域Ｅｎ、無帯電領域Ｅ０、・・・と交互に位置している。
【００６１】
この様に本実施例においてベルト帯電手段は、搬送ベルト９において記録用紙が載置される載置領域をマイナス帯電領域Ｅｎと無帯電領域Ｅ０とが格子状に配置されて成る帯電領域に形成する。これにより、浮遊するインクミストが帯電領域の影響を受けて記録用紙上に付着しても、それが全体的に分散され、インクミストの付着を視認し難くすることができる。
【００６２】
尚、本実施例においては、マイナス帯電領域Ｅｎと無帯電領域Ｅ０との間に電気力線または電気力、クーロン力は形成されないが、マイナス帯電領域Ｅｎの存在によって記録用紙には誘電分極による静電吸着力が作用し、記録用紙は搬送ベルト９に吸着される。
【００６３】
この様な帯電パターンを形成するベルト帯電手段は、図４（Ａ）に示す様に帯電部２９、電圧印加手段１２Ｂ、のこれらを備えている。帯電部２９は、搬送ベルト９と接する帯電ローラー３１が、搬送ベルト９の移動方向（ｙ方向）と交差する第１の方向であるベルト幅方向（ｘ方向）に延びる軸３０に沿って、所定間隔で配置されて成る。
【００６４】
帯電ローラー３１は、円周方向の１／２領域がカットされた半円形状を成しており、例えば導電性ゴム材などで構成され、隣接する帯電ローラー３１は、位相が１８０°反転するように、軸３０に取り付けられている。
【００６５】
電圧印加手段１２Ｂは、直流電源を備えて成り、帯電ローラー３１にマイナス電圧を印加する。これにより搬送ベルト９上には、一のローラー体により、ベルト移動方向に沿ってマイナス帯電領域Ｅｎと無帯電領域Ｅ０とが交互に形成される。そしてまた、ベルト幅方向においても、マイナス帯電領域Ｅｎと無帯電領域Ｅ０とが交互に形成され、以上により格子状の帯電パターンが形成される。
【００６６】
■■■第４実施例■■■  
続いて、ベルト帯電手段によって形成される帯電パターンの第４実施例を図５に基づいて説明する。  
図５において「＋」或いは「−」の文字が丸囲いされて成る表示は、搬送ベルト９の用紙載置面９ａ上に形成される帯電極性（搬送ベルト上に生じた電荷の極性）をイメージ的に表している。符号Ｐ１は先行して搬送される記録用紙を、符号Ｐ２は記録用紙Ｐ１に続いて搬送される記録用紙を示している。
【００６７】
本実施例は、図５に示す様に搬送ベルト９において記録用紙が載置される載置領域をマイナス帯電領域とプラス帯電領域とが格子状に配置されて成る帯電領域に形成する点において、上述した第１、第２実施例と同様である。本実施例は、用紙載置領域外の帯電パターンに特徴があり、即ち用紙載置面９ａ上において、記録用紙が載置される用紙載置領域を除いた領域が全体に渡ってマイナスに帯電する様に、ベルト帯電手段によって帯電状態が形成される。
【００６８】
従ってプラス帯電したインクミストは、搬送ベルト９の用紙載置領域外のマイナス帯電領域に引きつけられ、付着する。これにより、装置内においてインクミストの飛散を抑制し、インクミストの飛散に伴う種々の不具合を抑制し或いは防止することが可能となる。加えて、搬送ベルト９上へのインクミストの付着量を増やすことができ、記録用紙の記録面へのインクミスト付着量を減らすことができ、より良好な記録結果が得られる。
【００６９】
また、以上の様な帯電パターンにより、搬送ベルト９において用紙載置面９ａを構成するベルト部分につき、プラス帯電量よりマイナス帯電量がより一層支配的となり、即ちマイナス帯電量がプラス帯電量より一層多くなることから、用紙載置面９ａの上方を漂うインク滴（プラス帯電している）が搬送ベルト９側により効果的に引き寄せられ、より一層効果的にインク滴の飛散を抑制することができる。
【００７０】
この様な帯電状態を形成する帯電ローラーは、例えば図６の様にして構成する。図６において既に説明した第１帯電部１５及び第２帯電部１８による帯電領域幅は、長さＬ１（用紙幅に相当する）に形成されている。
【００７１】
一方、帯電ローラー３３は、長さ領域Ｌ１から外れた領域に配置され、搬送ベルト９において用紙領域から外れた領域と接する。この帯電ローラー３３には、電圧印加手段１２Ｃによりマイナス電圧が印加される。これにより搬送ベルト９において帯電ローラー３３と接する領域、即ち用紙外領域には、用紙搬送方向に沿ってマイナスの帯電領域が連続的に形成された状態となる。  
以上により、図５に示す様な帯電パターンが搬送ベルト９に形成される。
【００７２】
尚、用紙領域の帯電パターン、即ちプラス帯電領域とマイナス帯電領域とにより格子状の帯電パターンを形成するにあたり、マイナス電圧印加の際にプラス電圧印加時より高電圧を印加しても良い。これは、上述した第１、第２実施例でも同様である。これにより、プラス帯電量よりマイナス帯電量がより一層支配的となり、即ちマイナス帯電量がプラス帯電量より一層多くなることから、用紙載置面９ａの上方を漂うインク滴（プラス帯電している）が搬送ベルト９側により効果的に引き寄せられ、より一層効果的にインク滴の飛散を抑制することができる。
【００７３】
以上、説明した各実施例は一例であり、本発明がこれら実施例に限定されないことは言うまでもない。特に本実施形態では本発明をインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００７４】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【符号の説明】
【００７５】
１  インクジェットプリンター、２  フィードローラー、３  インクジェット記録ヘッド
４  第１用紙検出センサー、５  第２用紙検出センサー、７  駆動ローラー、８  従動ローラー、９  搬送ベルト、１０  除電器、１１  制御部、１２、１２Ａ〜１２Ｃ  電圧印加手段、１４  ベルト帯電手段、１５  第１帯電部、１６  軸、１７  帯電ローラー、１８  第２帯電部、１９  軸、２０  帯電ローラー、２２  被電圧印加部材、２４  クリーニングローラー、２６  帯電部、２７  軸、２８  帯電ローラー、２９  帯電部、３０  軸、３１  帯電ローラー、３３  帯電ローラー、Ｅｎ  負帯電領域、Ｅｐ  正帯電領域、Ｅ０  無帯電領域、Ｐ  記録用紙
【図１】
0006327315.tif 000002
【図２】
0006327315.tif 000003
【図３】
0006327315.tif 000004
【図４】
0006327315.tif 000005
【図５】
0006327315.tif 000006
【図６】
0006327315.tif 000007